(57)【要約】【課題】浸水を効果的に抑制することが可能なウォーターフェンスを提供する。【解決手段】このウォーターフェンス１００は、浸水を防止するための堰を形成するウォーターフェンス本体部１と、ウォーターフェンス本体部１の設置面への設置性を向上させる設置力増強部材２とをそれぞれ含む、第１ウォーターフェンス１０１および第２ウォーターフェンス１０２と、第１ウォーターフェンス１０１と、第２ウォーターフェンス１０２との間に配置され、第１ウォーターフェンス１０１と密着する第１面４０ａと、第２ウォーターフェンス１０２と密着する第２面４０ｂとを有する当接部材４とを備え、第１ウォーターフェンス１０１および第２ウォーターフェンス１０２の少なくとも一方には、設置面との間の水を吸い取るポンプ３を取り付けるためのパイプ１４が設けられている。【選択図】図２
2018003278.tif 000002
【特許請求の範囲】
【請求項１】
浸水を防止するための堰を形成するウォーターフェンス本体部と、前記ウォーターフェンス本体部の設置面への設置性を向上させる設置力増強部材とをそれぞれ含む、第１ウォーターフェンスおよび第２ウォーターフェンスと、
前記第１ウォーターフェンスと、前記第２ウォーターフェンスとの間に配置され、前記第１ウォーターフェンスと密着する第１面と、前記第２ウォーターフェンスと密着する第２面とを有する当接部材とを備え、
前記第１ウォーターフェンスおよび前記第２ウォーターフェンスの少なくとも一方には、前記設置面との間の水を吸い取る吸水装置を取り付けるための吸水装置取付部が設けられている、ウォーターフェンス。
【請求項２】
前記当接部材は、弾性変形可能な部材により形成されている、請求項１に記載のウォーターフェンス。
【請求項３】
前記当接部材は、前記ウォーターフェンス本体部の高さおよび前記設置力増強部材の高さの合計と略等しい高さを有している、請求項１または２に記載のウォーターフェンス。
【請求項４】
前記第１ウォーターフェンスおよび前記第２ウォーターフェンスにより前記当接部材が挟み込まれた状態で、前記第１ウォーターフェンスおよび前記第２ウォーターフェンスを挟持する連結部材をさらに備える、請求項１〜３のいずれか１項に記載のウォーターフェンス。
【請求項５】
前記当接部材は、前記設置力増強部材と同じ材料により形成されている、請求項１〜４のいずれか１項に記載のウォーターフェンス。
【請求項６】
前記当接部材は、前記第１ウォーターフェンスおよび前記第２ウォーターフェンスのいずれか一方に接着層を介して貼りつけられるように構成されている、請求項１〜５のいずれか１項に記載のウォーターフェンス。
【請求項７】
前記吸水装置取付部は、前記第１ウォーターフェンスおよび前記第２ウォーターフェンスの両方に設けられており、
前記第１ウォーターフェンスの前記設置力増強部材により囲まれた領域と、前記第２ウォーターフェンスの前記設置力増強部材により囲まれた領域とは、前記設置力増強部材および前記当接部材により、互いに区切られている、請求項１〜６のいずれか１項に記載のウォーターフェンス。
【請求項８】
前記第１ウォーターフェンスの前記設置力増強部材により囲まれた領域と、前記第２ウォーターフェンスの前記設置力増強部材により囲まれた領域とは、互いに接続されている、請求項１〜６のいずれか１項に記載のウォーターフェンス。
【発明の詳細な説明】
【技術分野】
【０００１】
この発明は、ウォーターフェンスに関する。
【背景技術】
【０００２】
従来、浸水を抑制するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させるために水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢底面に吸盤を設けた構成であるため、水嚢と設置面との間に隙間ができる。また、長い範囲において浸水を抑制しようとして水嚢を横に並べた場合、隣接する水嚢の間に隙間ができ、水密性を確保することが困難である。これらの結果、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスを提供することである。
【課題を解決するための手段】
【０００７】
この発明の一の局面によるウォーターフェンスは、浸水を防止するための堰を形成するウォーターフェンス本体部と、ウォーターフェンス本体部の設置面への設置性を向上させる設置力増強部材とをそれぞれ含む、第１ウォーターフェンスおよび第２ウォーターフェンスと、第１ウォーターフェンスと、第２ウォーターフェンスとの間に配置され、第１ウォーターフェンスと密着する第１面と、第２ウォーターフェンスと密着する第２面とを有する当接部材とを備え、第１ウォーターフェンスおよび第２ウォーターフェンスの少なくとも一方には、設置面との間の水を吸い取る吸水装置を取り付けるための吸水装置取付部が設けられている。
【０００８】
この発明の一の局面によるウォーターフェンスでは、上記のように、第１ウォーターフェンスと、第２ウォーターフェンスとの間に配置され、第１ウォーターフェンスと密着する第１面と、第２ウォーターフェンスと密着する第２面とを有する当接部材を設けることによって、第１ウォーターフェンスと第２ウォーターフェンスとの間に隙間ができるのを抑制することができる。また、設置力増強部材により、ウォーターフェンス本体部と、設置面との間に隙間ができるのを抑制することができる。これらの結果、水密性を確保することができるので、浸水を効果的に抑制することができる。また、吸水装置取付部に取り付けられた吸水装置により、ウォーターフェンスと設置面との間の水を空気とともに吸い取ることができるので、ウォーターフェンス本体部の底面と設置面との間に負圧を発生させることができる。これにより、ウォーターフェンスが押し寄せる水により流されるのを効果的に抑制することができる。
【０００９】
上記一の局面によるウォーターフェンスにおいて、好ましくは、当接部材は、弾性変形可能な部材により形成されている。このように構成すれば、第１ウォーターフェンスおよび第２ウォーターフェンスと、当接部材とを、隙間なく確実に密着させることができるので、より効果的に浸水を抑制することができる。
【００１０】
上記一の局面によるウォーターフェンスにおいて、好ましくは、当接部材は、ウォーターフェンス本体部の高さおよび設置力増強部材の高さの合計と略等しい高さを有している。このように構成すれば、当接部材の上端を、ウォーターフェンス本体部の上端の高さ位置と合わせることができるとともに、当接部材の下端を設置力増強部材の下端の高さ位置と合わせることができるので、当接部材の上部および下部からの浸水を抑制することができる。これにより、より確実に浸水を抑制することができる。
【００１１】
上記一の局面によるウォーターフェンスにおいて、好ましくは、第１ウォーターフェンスおよび第２ウォーターフェンスにより当接部材が挟み込まれた状態で、第１ウォーターフェンスおよび第２ウォーターフェンスを挟持する連結部材をさらに備える。このように構成すれば、連結部材により、第１ウォーターフェンスおよび第２ウォーターフェンスを当接部材を介して確実に密着させて配置することができるので、より確実に浸水を抑制することができる。
【００１２】
上記一の局面によるウォーターフェンスにおいて、好ましくは、当接部材は、設置力増強部材と同じ材料により形成されている。このように構成すれば、当接部材および設置力増強部材を、共通の水密性の高い部材により形成することにより、ウォーターフェンスの底面側からの浸水、および、第１ウォーターフェンスと第２ウォーターフェンスとの接続部分からの浸水を、効果的に抑制することができる。また、ウォーターフェンスの構成部品の材料の種類を削減することができる。
【００１３】
上記一の局面によるウォーターフェンスにおいて、好ましくは、当接部材は、第１ウォーターフェンスおよび第２ウォーターフェンスのいずれか一方に接着層を介して貼りつけられるように構成されている。このように構成すれば、第１ウォーターフェンスまたは第２ウォーターフェンスに対して、当接部材が位置ずれするのを抑制することができるので、当接部材の位置ずれに起因して浸水するのを確実に抑制することができる。また、第１ウォーターフェンスおよび第２ウォーターフェンスを連結する際に、第１ウォーターフェンスおよび第２ウォーターフェンスのいずれか一方に当接部材を位置決めさせることができる。
【００１４】
上記一の局面によるウォーターフェンスにおいて、好ましくは、吸水装置取付部は、第１ウォーターフェンスおよび第２ウォーターフェンスの両方に設けられており、第１ウォーターフェンスの設置力増強部材により囲まれた領域と、第２ウォーターフェンスの設置力増強部材により囲まれた領域とは、設置力増強部材および当接部材により、互いに区切られている。このように構成すれば、第１ウォーターフェンスの設置面への設置と、第２ウォーターフェンスの設置面への設置を互いに独立させることができるので、容易に一方に対して他方を増設したり、連結した状態から一方を取り外したりすることができる。これにより、浸水を防ぎたい場所の長さに応じて、ウォーターフェンスの長さを容易に変更することができる。
【００１５】
上記一の局面によるウォーターフェンスにおいて、好ましくは、第１ウォーターフェンスの設置力増強部材により囲まれた領域と、第２ウォーターフェンスの設置力増強部材により囲まれた領域とは、互いに接続されている。このように構成すれば、第１ウォーターフェンスおよび第２ウォーターフェンスに対して、共通の吸水装置を用いて設置面との間の水および空気を吸い取ることができるので、接続される吸水装置の個数が増加するのを抑制することができる。
【発明の効果】
【００１６】
本発明によれば、上記のように、浸水を効果的に抑制することができる。
【図面の簡単な説明】
【００１７】
【図１】本発明の第１実施形態によるウォーターフェンスを上方から見た斜視図である。
【図２】本発明の第１実施形態によるウォーターフェンスの分解斜視図である。
【図３】本発明の第１実施形態による第１ウォーターフェンス（第２ウォーターフェンス）を上方から見た斜視図である。
【図４】本発明の第１実施形態による第１ウォーターフェンス（第２ウォーターフェンス）を下方から見た斜視図である。
【図５】本発明の第１実施形態によるウォーターフェンス本体部を下方から見た斜視図である。
【図６】本発明の第１実施形態による第１ウォーターフェンス（第２ウォーターフェンス）の分解斜視図である。
【図７】本発明の第１実施形態による第１ウォーターフェンス（第２ウォーターフェンス）の第１部材を示した斜視図である。
【図８】本発明の第１実施形態による第１ウォーターフェンス（第２ウォーターフェンス）の第２部材を示した斜視図である。
【図９】本発明の第１実施形態によるウォーターフェンスを底面側から見た平面図である。
【図１０】本発明の第１実施形態によるウォーターフェンスの設置力増強部材および当接部材の特性を示した表である。
【図１１】本発明の第１実施形態によるウォーターフェンスの設置力増強部材および当接部材の水透過の特性を示した表である。
【図１２】本発明の第１実施形態によるウォーターフェンスのチューブ材の特性を示した表である。
【図１３】本発明の第２実施形態によるウォーターフェンスを上方から見た斜視図である。
【図１４】本発明の第１および第２実施形態の変形例によるウォーターフェンスを底面側から見た平面図である。
【図１５】本発明の第１および第２実施形態の変形例によるウォーターフェンスの当接部材を示した斜視図である。
【図１６】本発明の第１および第２実施形態の変形例によるウォーターフェンスの当接部材の特性を示した表である。
【発明を実施するための形態】
【００１８】
以下、本発明の実施形態を図面に基づいて説明する。
【００１９】
［第１実施形態］
図１〜図１２を参照して、本発明の第１実施形態によるウォーターフェンス１００の構成について説明する。
【００２０】
（ウォーターフェンスの構成）
第１実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、第１ウォーターフェンス１０１と、第２ウォーターフェンス１０２とを備えている。第１ウォーターフェンス１０１および第２ウォーターフェンス１０２は、それぞれ、ウォーターフェンス本体部１と、設置力増強部材２とを備えている。ウォーターフェンス１００は、Ｘ方向に延びる細長形状を有しており、Ｙ方向の水を止めるように設置される。また、図１および図３に示すように、第１ウォーターフェンス１０１および第２ウォーターフェンス１０２には、それぞれ、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。なお、ポンプ３は、特許請求の範囲の「吸水装置」の一例である。
【００２１】
また、図１および図２に示すように、ウォーターフェンス１００は、第１ウォーターフェンス１０１と、第２ウォーターフェンス１０２との間に配置された当接部材４を備えている。第１ウォーターフェンス１０１および第２ウォーターフェンス１０２は、Ｘ方向において当接部材４を挟み込んだ状態で、連結部材４１により挟持されて連結されている。また、ウォーターフェンス１００は、図４に示すように、設置力増強部材２の底面に配置されたチューブ材５を備えている。
【００２２】
ウォーターフェンス本体部１は、第１部材１１と、第２部材１２と、連結部材１３と、パイプ１４と、パイプ１５（図５参照）とを含んでいる。第１部材１１は、凸部１１１（図５参照）と、嵌合部１１２（図６参照）と、筒状部１１３（図７参照）と、板状部１１４（図７参照）と、フランジ部１１５（図７参照）と、肉抜穴１１６（図７参照）とを有している。第２部材１２は、図８に示すように、重り収容部１２１と、凸部１２２（図５参照）と、嵌合部１２３（図６参照）と、凹部１２４および１２５とを有している。なお、パイプ１４は、特許請求の範囲の「吸水装置取付部」の一例である。
【００２３】
ウォーターフェンス本体部１は、浸水を防止するための堰を形成している。具体的には、ウォーターフェンス本体部１は、柱や壁或いは扉（図示せず）などの前面側（Ｙ２方向側）に配置され、背面側（Ｙ１方向側）への浸水を防止する堰を形成している。また、ウォーターフェンス本体部１は、図３に示すように、第１部材１１のＸ方向の両端に、それぞれ、第２部材１２が連結されている。また、ウォーターフェンス本体部１は、複数に分割可能に構成されている。具体的には、第２部材１２は、第１部材１１に対してＸ方向に隣接して配置されている。
【００２４】
また、第２部材１２は、Ｘ方向において第１部材１１を挟むように一対設けられている。一対の第２部材１２は、第１部材１１を挟み込んだ状態で、弾性を有する連結部材１３により挟持されることにより、連結されている。具体的には、図６に示すように、一対の第２部材１２が第１部材１１を挟んでＸ方向に隣接して配置された状態で、Ｙ方向の両側（Ｙ１方向およびＹ２方向）に設けられた連結部材１３により、第１部材１１および一対の第２部材１２が連結されている。
【００２５】
第１部材１１は、水を透過させない素材により形成されている。第１部材１１は、たとえば、ゴムや樹脂或いは金属などにより形成されている。好ましくは、第１部材１１は、弾性材料により形成されている。また、第１部材１１は、第２部材１２よりも比重が大きい材料により形成されている。
【００２６】
図５に示すように、第１部材１１の下面側（Ｚ２方向側）には、凸部１１１が設けられている。凸部１１１の外側の平坦面には、設置力増強部材２が取り付けられるように構成されている。また、凸部１１１は、吸水口部が設けられたパイプ１５をＹ方向に挟み込むように、一対設けられている。また、凸部１１１は、第１部材１１に連結される第２部材１２の凸部１２２とつながるように形成されている。
【００２７】
図６および図７に示すように、第１部材１１の底部（Ｚ２方向側部）には、第２部材１２側（Ｘ方向）に凸状に突出する嵌合部１１２が設けられている。嵌合部１１２は、第２部材１２の嵌合部１２３に嵌合するように構成されている。また、嵌合部１１２は、平面視において（Ｚ方向から見て）、第２部材１２とオーバーラップするように配置されている。つまり、嵌合部１１２は、第１部材１１および第２部材１２を底面を上にして組立てた場合に、図５に示すように、第２部材１２に覆いかぶさるように、嵌合部１２３に嵌合する。これによって、組み立て時や、浸水しようとする水を防ぐ際において、第１部材１１および第２部材１２がずれることを抑制することができる。
【００２８】
図７に示すように、筒状部１１３は、上下方向（Ｚ方向）に延びるように形成されている。また、筒状部１１３は、第１部材１１のＹ方向の中央近傍に配置されている。また、筒状部１１３は、第１部材１１のＸ方向の中央近傍に配置されている。また、筒状部１１３は、第２部材１２の凹部１２４に嵌り込むように構成されている。筒状部１１３の内側には、ポンプ３により底面と設置面との間の水を吸い取るための流路１１３ａが設けられている。つまり、筒状部１１３の流路１１３ａは、上下方向に貫通するように設けられている。
【００２９】
図６に示すように、筒状部１１３の上部には、ポンプ３が接続されるためのパイプ１４が挿入されている。パイプ１４は、たとえば、金属により形成されている。また、パイプ１４は、略Ｌ字形状に形成されている。パイプ１４には、設置面とウォーターフェンス１００との間の水を吸い取るポンプ３が取り付けられるように構成されている。具体的には、図３に示すように、パイプ１４の外側の端部には、ポンプ３に接続される管（ホースなど）が接続されるように構成されている。
【００３０】
筒状部１１３の底部には、吸水口部が設けられたパイプ１５（図５参照）が挿入されている。パイプ１５は、たとえば、金属により形成されている。パイプ１５の下側（Ｚ２方向側）の端部は、凸部１１１の下端近傍（Ｚ２方向側の端部近傍）に配置されている。これにより、ウォーターフェンス本体部１の底面１ａと設置面との間の水が、ポンプ３により吸水される。なお、パイプ１５の吸水口部に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００３１】
図７に示すように、板状部１１４は、筒状部１１３に対してＹ方向に接続され、Ｙ方向に延びるように形成されている。具体的には、板状部１１４は、筒状部１１３のＹ方向の両側（Ｙ１方向およびＹ２方向）に配置されている。また、板状部１１４は、筒状部１１３の外径よりも小さいＸ方向の幅を有している。
【００３２】
フランジ部１１５は、筒状部１１３の上部に配置されている。また、フランジ部１１５は、略水平方向（ＸＹ方向）に突出するように形成されている。また、フランジ部１１５は、第２部材１２の凹部１２５に嵌り込むように構成されている。
【００３３】
肉抜穴１１６は、嵌合部１１２に設けられている。また、肉抜穴１１６は、Ｘ方向に延びるように形成されている。これにより、第１部材１１を軽量化することが可能である。
【００３４】
図３に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。好ましくは、第２部材１２は、発泡材料により形成されている。第２部材１２の重り収容部１２１には、重りとして水が注水されたり、ペットボトルなどの重りが収容されたりするように構成されている。第２部材１２の重り収容部１２１に水などの重りが収容されることによりウォーターフェンス１００に加わる荷重を増すことが可能なように構成されている。なお、重り収容部１２１に、石、砂、土などを入れて重りとしてもよい。
【００３５】
図５に示すように、第２部材１２の下面側（Ｚ２方向側）には、凸部１２２が設けられている。凸部１２２の外側の平坦面には、設置力増強部材２が取り付けられるように構成されている。また、凸部１２２は、平面視において略Ｕ字形状に形成されている。また、凸部１２２は、第２部材１２に連結される第１部材１１の凸部１１１とつながるように形成されている。つまり、第１部材１１の凸部１１１と、第２部材１２の凸部１２２とが連結されて、長方形のロ字形状の凸部が形成される。この凸部１１１および１２２により設置力増強部材２が平面方向（ＸＹ方向）にずれることが抑制される。また、ロ字形状の凸部の内側は、ポンプ３により吸水される水の通り道となる。
【００３６】
図６に示すように、第２部材１２の底部（Ｚ２方向側部）には、第１部材１１の嵌合部１１２が嵌合する嵌合部１２３が設けられている。具体的には、嵌合部１２３は、凹状に形成されており、凸状の嵌合部１１２が嵌合するように構成されている。
【００３７】
図８に示すように、凹部１２４は、第１部材１１の筒状部１１３に対応する部分に形成されている。つまり、第１部材１１および第２部材１２を組み合わせた場合に、第１部材１１の筒状部１１３が第２部材１２の凹部１２４に嵌り込む（係合する）ように構成されている。凹部１２５は、第１部材１１のフランジ部１１５に対応する部分に形成されている。つまり、第１部材１１および第２部材１２を組み合わせた場合に、第１部材１１のフランジ部１１５が第２部材１２の凹部１２５に嵌り込む（係合する）ように構成されている。
【００３８】
図４に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３９】
具体的には、設置力増強部材２は、ウォーターフェンス本体部１の自重と、重りの重力と、ポンプ３が吸水することにより生じる負圧とにより、圧縮されて、水の透過率が所定の値となることにより、ウォーターフェンス本体部１の底面１ａと設置面との間に外部からの水を所定量透過させてポンプ３の自吸水を確保するように構成されている。
【００４０】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。重り収容部１２１に重りが収容され、ポンプ３が駆動された場合、半連続気泡構造のスポンジは５０〜８０％程度圧縮されることが望ましい。また、設置力増強部材２は、第１部材１１よりも柔らかい材料により形成されている。
【００４１】
設置力増強部材２は、ウォーターフェンス本体部１の自重と、重り収容部１２１に収容された重りと、ポンプ３の吸引力によって生じる負圧とにより圧縮されるように構成されている。また、ポンプ３は、設置力増強部材２を透過した水を、設置面内側の空間の空気とともに吸引するように構成されている。つまり、設置力増強部材２により吸水された水が第１部材１１の流路１１３ａを介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００４２】
また、ポンプ３により、設置力増強部材２を透過した水を、設置面内側の空間の空気とともに吸引することにより、ウォーターフェンス本体部１と設置面との間の空間の真空度が上げられる（空間の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００４３】
また、設置力増強部材２は、第１部材１１の凸部１１１の外側の平坦面および第２部材１２の凸部１２２の外側の平坦面に取り付けられるように構成されている。具体的には、設置力増強部材２は、両面テープなどの接着層を介して、第１部材１１および第２部材１２の底面に取り付けられる。また、設置力増強部材２は、図４に示すように、平面視（Ｚ方向から見て）において、Ｙ方向の端部が、第２部材１２の細い部分と略面一となるように配置されている。また、図４および図９に示すように、設置力増強部材２は、平面視において（Ｚ方向から見て）、ウォーターフェンス本体部１の底面の外周部に環状に配置されている。
【００４４】
また、設置力増強部材２は、図６に示すように、分割可能に構成されている。具体的には、設置力増強部材２は、第１部材１１に取り付けられる設置力増強部材２１と、第２部材１２に取り付けられる設置力増強部材２２とに分割可能である。つまり、設置力増強部材２１を第１部材１１に取り付け、設置力増強部材２２を第２部材１２に取り付けた状態で、第１部材１１および第２部材１２を、分割すること、または、組み立てることが可能である。
【００４５】
また、設置力増強部材２１の端部は、組み立てる前において、第１部材１１の端部（側面）からＸ方向に突出して構成されていることが望ましい。たとえば、Ｘ１方向側の設置力増強部材２１の端部が、Ｘ１方向側の第１部材１１の端部よりも５〜１０ｍｍ程度突出し、さらに、Ｘ２方向側の設置力増強部材２１の端部が、Ｘ２方向側の第１部材１１の端部よりも５〜１０ｍｍ程度突出して構成されることが望ましい。なお、設置力増強部材２１のＸ方向における端部は、第１部材１１の端部を面一に揃え、設置力増強部材２２の端部が、第２部材１２の端部からＸ方向（設置力増強部材２１側）に５〜１０ｍｍ程度突出して構成してもよい。また、設置力増強部材２１のＸ方向側の端部を、第１部材１１の端部からＸ方向（設置力増強部材２２側）に３〜５ｍｍ程度突出させ、さらに、設置力増強部材２２のＸ方向側の端部を、第２部材１２の端部からＸ方向（設置力増強部材２１側）に３〜５ｍｍ程度突出させて構成してもよい。これにより、設置力増強部材２１と、設置力増強部材２２の端部間に隙間が生じるのを抑制して、密着させた状態でウォーターフェンス１００を組み立てることができるので、ウォーターフェンス本体部１と設置面との間の気密性を高めることができる。その結果、ポンプ３の吸引により、ウォーターフェンス本体部１と設置面との間の空間の真空度を効果的に上げる（空間の気圧を下げる）ことが可能である。また、突出量は、ウォーターフェンス１００のＸ方向の長さ、設置力増強部材２の硬さなどに応じて適宜設定してもよい。
【００４６】
また、設置力増強部材２の端部は、第１ウォーターフェンス１０１および第２ウォーターフェンス１０２を連結する前において、第１ウォーターフェンス１０１（第２ウォーターフェンス１０２）の端部（側面）からＸ方向に突出して構成されていることが望ましい。たとえば、第１ウォーターフェンス１０１のＸ２方向側（当接部材４側）の設置力増強部材２の端部が、Ｘ２方向側の第１ウォーターフェンス１０１の端部よりも５〜１０ｍｍ程度突出し、さらに、第２ウォーターフェンス１０２のＸ１方向側（当接部材４側）の設置力増強部材２の端部が、Ｘ１方向側の第２ウォーターフェンス１０２の端部よりも５〜１０ｍｍ程度突出して構成されることが望ましい。これにより、設置力増強部材２と、当接部材４との間に隙間が生じるのを抑制して、密着させた状態で第１ウォーターフェンス１０１および第２ウォーターフェンス１０２を連結させることができるので、ウォーターフェンス本体部１と当接部材との間の気密性を高め、ウォーターフェンス本体部１と当接部材との間の隙間から浸水することを抑制することができる。
【００４７】
ポンプ３は、ウォーターフェンス本体部１の底面１ａと設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４８】
ここで、第１実施形態では、図１および図２に示すように、当接部材４は、第１ウォーターフェンス１０１と、第２ウォーターフェンス１０２とを連結した場合に、間をシールするように構成されている。具体的には、当接部材４は、第１ウォーターフェンス１０１と、第２ウォーターフェンス１０２との間に配置される。また、当接部材４は、図２に示すように、第１ウォーターフェンス１０１と密着する第１面４０ａと、第２ウォーターフェンス１０２と密着する第２面４０ｂとを有する。また、当接部材４は、弾性変形可能な部材により形成されている。たとえば、当接部材４は、設置力増強部材２と同じ材料により形成されている。また、当接部材４と、第１ウォーターフェンス１０１および第２ウォーターフェンス１０２とが接する部分の外側に水密性を高めるために、パテや粘土を塗ってもよい。
【００４９】
また、当接部材４は、矩形の板形状に形成されている。また、当接部材４は、ウォーターフェンス本体部１の高さおよび設置力増強部材２の高さの合計と略等しい高さを有するように形成されている。つまり、当接部材４は、第１ウォーターフェンス１０１および第２ウォーターフェンス１０２と、上端の高さ位置が略面一となるとともに、下端の高さ位置が略面一となるように配置される。
【００５０】
また、当接部材４の第１面４０ａには、接着層４２が設けられている。接着層４２は、たとえば、両面テープを含む。そして、当接部材４は、第１ウォーターフェンス１０１に接着層４２を介して貼りつけられるように構成されている。また、当接部材４は、圧縮率に応じて水の透過性が変化するように構成されている。具体的には、当接部材４は、圧縮率が大きいほど（つぶされるほど）水が透過しにくくなるように構成されている。つまり、当接部材４は、水がほとんど透過しない程度に、第１ウォーターフェンス１０１と、第２ウォーターフェンス１０２との間で圧縮されることが好ましい。
【００５１】
第１ウォーターフェンス１０１および第２ウォーターフェンス１０２は、当接部材４を挟み込んだ状態で、弾性を有する連結部材４１により挟持されることにより、連結されている。具体的には、図２に示すように、第１ウォーターフェンス１０１および第２ウォーターフェンス１０２は、当接部材４を挟んでＸ方向に隣接して配置された状態で、Ｙ方向の両側（Ｙ１方向およびＹ２方向）に設けられた連結部材４１により連結されている。
【００５２】
図４に示すように、チューブ材５は、設置力増強部材２の底面に配置されている。また、チューブ材５は、設置力増強部材２よりも低い吸水率を有するとともに、設置力増強部材２よりも柔らかい。具体的には、チューブ材５は、中空形状を有する管状部材である。また、チューブ材５は、外力により変形しやすい材料により形成されている。たとえば、チューブ材５は、ゴムにより形成されている。また、チューブ材５は、設置力増強部材２に、接着層を介して貼りつけられている。
【００５３】
また、チューブ材５は、圧縮されて変形することにより、設置面の目地などの凹凸に食い込むとともに、設置力増強部材２を設置面に密着させるように構成されている。また、チューブ材５は、設置力増強部材２よりも小さい幅を有する。また、図４および図９に示すように、チューブ材５は、設置力増強部材２に沿って配置されている。具体的には、チューブ材５は、平面視において（Ｚ方向から見て）略ロ字形状に配置された設置力増強部材２に沿って、略ロ字形状に配置されている。また、チューブ材５は、設置力増強部材２の略中央に配置されている。
【００５４】
また、チューブ材５は、図６に示すように、分割可能に構成されている。具体的には、チューブ材５は、第１部材１１（設置力増強部材２１）に取り付けられるＩ字状のチューブ材５１と、第２部材１２（設置力増強部材２２）に取り付けられるＣ字状のチューブ材５２とに分割可能である。
【００５５】
チューブ材５１の端部と、チューブ材５２の端部とは、平面視において（Ｚ方向から見て）、互いにＹ方向にずれた状態で配置されている。つまり、チューブ材５１の端部と、チューブ材５２の端部とは、略水平方向（ＸＹ方向）に重なることがないように配置されている。
【００５６】
図９に示すように、当接部材４の下側の面には、チューブ材４３が配置されている。チューブ材４３は、チューブ材５と同じ材料により形成されている。また、チューブ材４３は、Ｙ方向において、チューブ材５１と同じ位置に一対配置されている。
【００５７】
また、第１実施形態では、図１に示すように、ポンプ３を取り付けるパイプ１４を、第１ウォーターフェンス１０１および第２ウォーターフェンス１０２の両方に設けている。また、第１ウォーターフェンス１０１のパイプ１４と、第２ウォーターフェンス１０２のパイプ１４とのそれぞれに、ポンプ３を接続している。また、図９に示すように、第１ウォーターフェンス１０１の設置力増強部材２により囲まれた領域と、第２ウォーターフェンス１０２の設置力増強部材２により囲まれた領域とは、設置力増強部材２および当接部材４により互いに区切られている。つまり、第１ウォーターフェンス１０１の設置力増強部材２により囲まれた領域の空気および水は、第１ウォーターフェンス１０１に接続されたポンプ３により吸引される。また、第２ウォーターフェンス１０２の設置力増強部材２により囲まれた領域の空気および水は、第２ウォーターフェンス１０２に接続されたポンプ３により吸引される。
【００５８】
図１０を参照して、設置力増強部材２および当接部材４の特性の一例について説明する。
【００５９】
図１０に示すように、設置力増強部材２および当接部材４は、たとえば、見掛け密度が１１０ｋｇ／ｍ3であり、引張強さが８０ｋＰａであり、伸びが４５０％である。また、設置力増強部材２および当接部材４は、圧縮硬さが、圧縮率が２５％の場合、３．３ｋＰａであり、圧縮率が５０％の場合、４．５ｋＰａである。
【００６０】
図１１を参照して、設置力増強部材２および当接部材４の特性（水透過）の一例について説明する。
【００６１】
図１１に示すように、水透過について、設置力増強部材２および当接部材４は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２および当接部材４は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２および当接部材４は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００６２】
設置力増強部材２に用いる気孔率５０％〜６０％程度の半連続気泡構造のスポンジ材は、図１１に示す一例のように、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００６３】
また、当接部材４は、圧縮率を７０％以上となるように、第１ウォーターフェンス１０１と、第２ウォーターフェンス１０２との間に配置することにより、当接部材４からの浸水を確実に抑制することが可能である。
【００６４】
図１２を参照して、チューブ材５の特性の一例について説明する。
【００６５】
図１２に示すように、チューブ材５および４３は、たとえば、見掛け密度が７８０ｋｇ／ｍ3であり、引張強さが３４０ｋＰａであり、伸びが７５０％である。つまり、チューブ材５および４３は、設置力増強部材２よりも柔らかい。また、チューブ材５および４３は、２００％に伸ばした際の引張応力が８０ｋＰａである。なお、引張強さ、伸び率、２００％引張応力は、長さ１０ｃｍのチューブ材５および４３に２．５ｍｍほどの切り込みを入れて試験を行った。また、チューブ材５および４３は、吸水率が１．０％以下である。つまり、チューブ材５および４３は、設置力増強部材２よりも低い吸水率を有する。
【００６６】
（第１実施形態の効果）
第１実施形態では、以下のような効果を得ることができる。
【００６７】
第１実施形態では、上記のように、第１ウォーターフェンス１０１と、第２ウォーターフェンス１０２との間に配置され、第１ウォーターフェンス１０１と密着する第１面４０ａと、第２ウォーターフェンス１０２と密着する第２面４０ｂとを有する当接部材４を設けることによって、第１ウォーターフェンス１０１と第２ウォーターフェンス１０２との間に隙間ができるのを抑制することができる。また、設置力増強部材２により、ウォーターフェンス本体部１と、設置面との間に隙間ができるのを抑制することができる。これらの結果、水密性を確保することができるので、浸水を効果的に抑制することができる。また、パイプ１４に取り付けられたポンプ３により、ウォーターフェンス１００と設置面との間の水を空気とともに吸い取ることができるので、ウォーターフェンス本体部１の底面と設置面との間に負圧を発生させることができる。これにより、ウォーターフェンス１００が押し寄せる水により流されるのを効果的に抑制することができる。
【００６８】
また、第１実施形態では、上記のように、当接部材４を、弾性変形可能な部材により形成する。これにより、第１ウォーターフェンス１０１および第２ウォーターフェンス１０２と、当接部材４とを、隙間なく確実に密着させることができるので、より効果的に浸水を抑制することができる。
【００６９】
また、第１実施形態では、上記のように、当接部材４を、ウォーターフェンス本体部１の高さおよび設置力増強部材２の高さの合計と略等しい高さを有するように形成する。これにより、当接部材４の上端を、ウォーターフェンス本体部１の上端の高さ位置と合わせることができるとともに、当接部材４の下端を設置力増強部材２の下端の高さ位置と合わせることができるので、当接部材４の上部および下部からの浸水を抑制することができる。これにより、より確実に浸水を抑制することができる。
【００７０】
また、第１実施形態では、上記のように、第１ウォーターフェンス１０１および第２ウォーターフェンス１０２により当接部材４が挟み込まれた状態で、第１ウォーターフェンス１０１および第２ウォーターフェンス１０２を挟持する連結部材４１を設ける。これにより、連結部材４１により、第１ウォーターフェンス１０１および第２ウォーターフェンス１０２を当接部材４を介して確実に密着させて配置することができるので、より確実に浸水を抑制することができる。
【００７１】
また、第１実施形態では、上記のように、当接部材４を、設置力増強部材２と同じ材料により形成する。これにより、当接部材４および設置力増強部材２を、共通の水密性の高い部材により形成することにより、ウォーターフェンス１００の底面側からの浸水、および、第１ウォーターフェンス１０１と第２ウォーターフェンス１０２との接続部分からの浸水を、効果的に抑制することができる。また、ウォーターフェンス１００の構成部品の材料の種類を削減することができる。
【００７２】
また、第１実施形態では、上記のように、当接部材４を、第１ウォーターフェンス１０１および第２ウォーターフェンス１０２のいずれか一方に接着層４２を介して貼りつけられるように構成する。これにより、第１ウォーターフェンス１０１または第２ウォーターフェンス１０２に対して、当接部材４が位置ずれするのを抑制することができるので、当接部材４の位置ずれに起因して浸水するのを確実に抑制することができる。また、第１ウォーターフェンス１０１および第２ウォーターフェンス１０２を連結する際に、第１ウォーターフェンス１０１および第２ウォーターフェンス１０２のいずれか一方に当接部材４を位置決めさせることができる。
【００７３】
また、第１実施形態では、上記のように、ポンプ３を取り付けるパイプ１４を、第１ウォーターフェンス１０１および第２ウォーターフェンス１０２の両方に設ける。また、第１ウォーターフェンス１０１の設置力増強部材２により囲まれた領域と、第２ウォーターフェンス１０２の設置力増強部材２により囲まれた領域とを、設置力増強部材２および当接部材４により互いに区切る。これにより、第１ウォーターフェンス１０１の設置面への設置と、第２ウォーターフェンス１０２の設置面への設置を互いに独立させることができるので、容易に一方に対して他方を増設したり、連結した状態から一方を取り外したりすることができる。これにより、浸水を防ぎたい場所のＸ方向の長さに応じて、ウォーターフェンス１００の長さを容易に変更することができる。
【００７４】
［第２実施形態］
次に、図１３を参照して、本発明の第２実施形態について説明する。この第２実施形態では、第１ウォーターフェンスおよび第２ウォーターフェンスの両方に、それぞれ、ポンプが接続されている上記第２実施形態とは異なり、第１ウォーターフェンスおよび第２ウォーターフェンスに共通のポンプが接続されている構成の例について説明する。
【００７５】
（ウォーターフェンスの構成）
本発明の第２実施形態によるウォーターフェンス２００は、図１３に示すように、第１ウォーターフェンス１０１と、第２ウォーターフェンス１０２とを備えている。第１ウォーターフェンス１０１および第２ウォーターフェンス１０２は、それぞれ、ウォーターフェンス本体部１と、設置力増強部材２とを備えている。
【００７６】
また、図１３に示すように、ウォーターフェンス２００は、第１ウォーターフェンス１０１と、第２ウォーターフェンス１０２との間に配置された当接部材４を備えている。第１ウォーターフェンス１０１および第２ウォーターフェンス１０２は、Ｘ方向において当接部材４を挟み込んだ状態で、連結部材４１により挟持されて連結されている。また、ウォーターフェンス２００は、設置力増強部材２の底面に配置されたチューブ材５（図９参照）を備えている。
【００７７】
ここで、第２実施形態では、第１ウォーターフェンス１０１および第２ウォーターフェンス１０２には、自吸機能を有した共通のポンプ３が接続されている。つまり、第１ウォーターフェンス１０１のパイプ１４に接続されたホースと、第２ウォーターフェンス１０２のパイプ１４に接続されたホースとが途中で合流して、ポンプ３に接続されている。なお、ポンプ３は、特許請求の範囲の「吸水装置」の一例である。また、パイプ１４は、特許請求の範囲の「吸水装置取付部」の一例である。
【００７８】
なお、第２実施形態のその他の構成は、上記第１実施形態と同様である。
【００７９】
（第２実施形態の効果）
第２実施形態では、以下のような効果を得ることができる。
【００８０】
第２実施形態では、上記第１実施形態と同様に、第１ウォーターフェンス１０１と、第２ウォーターフェンス１０２との間に配置された当接部材４を設けることによって、浸水を効果的に抑制することができる。
【００８１】
また、第２実施形態では、上記のように、第１ウォーターフェンス１０１に接続するポンプ３と、第２ウォーターフェンス１０２に接続するポンプ３とを共通にすることによって、ポンプ３の数が増加するのを抑制することができる。
【００８２】
なお、第２実施形態のその他の効果は、上記第１実施形態と同様である。
【００８３】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８４】
たとえば、上記第１および第２実施形態では、ウォーターフェンス本体部と、設置力増強部材とを備えるウォーターフェンスを、２つ連結する構成の例を示したが、本発明はこれに限らない。本発明では、ウォーターフェンス本体部と、設置力増強部材とを備えるウォーターフェンスを３つ以上連結してもよい。
【００８５】
また、上記第１および第２実施形態では、第１ウォーターフェンスおよび第２ウォーターフェンスの両方にパイプ（吸水装置取付部）が設けられている構成の例を示したが、本発明はこれに限らない。本発明では、第１ウォーターフェンスおよび第２ウォーターフェンスの少なくとも一方に吸水装置取付部が設けられていればよい。
【００８６】
たとえば、図１４および図１５に示す変形例のウォーターフェンス３００のように、第１ウォーターフェンス３０１に吸水装置取付部を設け、第２ウォーターフェンス３０２に吸水装置取付部を設けなくてもよい。この場合、第２ウォーターフェンス３０２の底面側にパイプ１５を挿入せず、封止部材１５ａにより、開口を塞いでもよい。また、開口が設けられていない第１部材１１を用いてもよい。また、第１ウォーターフェンス３０１の設置力増強部材２により囲まれる領域と、第２ウォーターフェンス３０２の設置力増強部材２により囲まれる領域とを接続してもよい。つまり、第１ウォーターフェンス３０１の第２ウォーターフェンス３０２側（Ｘ２方向側）に設置力増強部材２を設けず、第２ウォーターフェンス３０２の第１ウォーターフェンス３０１側（Ｘ１方向側）に設置力増強部材２を設けなくてもよい。この場合、図１５に示すように、当接部材４ａの下方に切欠き部４４を設けてもよい。切欠き部４４のＹ方向の幅は、設置力増強部材２のＹ方向の間隔と略等しく形成してもよい。
【００８７】
また、第１ウォーターフェンスおよび第２ウォーターフェンスに１つの吸水装置を取り付ける場合、ウォーターフェンスの底面に設置力増強部材により囲まれた領域さえ形成されていれば、第１ウォーターフェンスおよび第２ウォーターフェンスのうち一方を、第１部材および第２部材を含むウォーターフェンスとし、他方を第２部材のみを含むウォーターフェンスとしてもよい。また、第１ウォーターフェンスおよび第２ウォーターフェンスのうち一方を、他方の長さの略半分としてもよい。つまり、第１ウォーターフェンスおよび第２ウォーターフェンスのうち一方は、１つの第２部材を含み、他方は、２つの第２部材を含んでいてもよい。
【００８８】
また、上記第１および第２実施形態では、第１ウォーターフェンスおよび第２ウォーターフェンスが一対の第２部材を備える構成の例を示したが、本発明はこれに限らない。本発明では、ウォーターフェンスの底面に設置力増強部材により囲まれた領域さえ形成されていれば、第１部材に覆い被さるように一体の第２部材を配置してもよいし、第１部材の一方側のみに第２部材を配置してもよい。また、第１ウォーターフェンスおよび第２ウォーターフェンスが３つ以上の第２部材を備えていてもよい。
【００８９】
また、上記第１および第２実施形態では、設置力増強部材と、当接部材とが同じ材料により形成されている構成の例を示したが、本発明はこれに限らない。本発明では、設置力増強部材と、当接部材とを互いに異なる材料により形成してもよい。また、当接部材は、止水性を有し、第１ウォーターフェンスおよび第２ウォーターフェンスとの密着性が高い部材を用いることが好ましい。たとえば、図１６に示す変形例のような特性の材料により形成してもよい。図１６に示す例では、当接部材は、見掛け密度が２００ｋｇ／ｍ3であり、引張強さが２６０ｋＰａであり、伸びが２００％であり、圧縮率が２５％の場合、１３ｋＰａであってもよい。また、当接部材は、吸水することにより、止水性が高められる材料により形成されていてもよい。
【００９０】
また、上記第１および第２実施形態では、当接部材が第１ウォーターフェンスに接着層を介して貼り付けられる構成の例を示したが、本発明はこれに限らない。本発明では、当接部材は、第２ウォーターフェンスに接着層を介して貼り付けられてもよい。また、接着層を有さない当接部材を、第１ウォーターフェンスおよび第２ウォーターフェンスのいずれにも貼り付けることなく、第１ウォーターフェンスおよび第２ウォーターフェンスの間に配置してもよい。
【００９１】
また、上記第１および第２実施形態では、ウォーターフェンスが直線的に形成されている構成の例を示したが、本発明はこれに限らない。本発明では、ウォーターフェンスが折れ曲がるように形成されていてもよい。
【００９２】
また、上記第１および第２実施形態では、ウォーターフェンスに入れる重りとして水を注水したり、ペットボトルを用いた例を示したが、本発明はこれに限らない。本発明では、水やペットボトル以外の部材を重りとして用いてもよい。たとえば、バーベルや石などを重りとして用いてもよい。
【００９３】
また、上記第１および第２実施形態では、第１部材の上方にパイプ（吸水装置取付部）を挿入する構成の例を示したが、本発明はこれに限らない。本発明では、第１部材にパイプを挿入せずに、吸水装置と接続してもよい。つまり、第１部材に吸水装置取付部を一体的に設けてもよい。また、第１部材の下方にパイプを挿入しなくてもよい。
【００９４】
また、上記第１および第２実施形態では、設置力増強部材が、１層により形成されている例を示したが、本発明はこれに限らない。本発明では、設置力増強部材を２層以上により形成してもよい。
【００９５】
また、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【００９６】
また、上記第１および第２実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【００９７】
１  ウォーターフェンス本体部
２、２１、２２  設置力増強部材
３  ポンプ（吸水装置）
４、４ａ  当接部材
１４  パイプ（吸水装置取付部）
４０ａ  第１面
４０ｂ  第２面
４１  連結部材
４２  接着層
１００、２００、３００  ウォーターフェンス
１０１、３０１  第１ウォーターフェンス
１０２、３０２  第２ウォーターフェンス
【図１】
2018003278.tif 000003
【図２】
2018003278.tif 000004
【図３】
2018003278.tif 000005
【図４】
2018003278.tif 000006
【図５】
2018003278.tif 000007
【図６】
2018003278.tif 000008
【図７】
2018003278.tif 000009
【図８】
2018003278.tif 000010
【図９】
2018003278.tif 000011
【図１０】
2018003278.tif 000012
【図１１】
2018003278.tif 000013
【図１２】
2018003278.tif 000014
【図１３】
2018003278.tif 000015
【図１４】
2018003278.tif 000016
【図１５】
2018003278.tif 000017
【図１６】
2018003278.tif 000018